(57)【特許請求の範囲】
【請求項１】
信号層としての配線パタ−ンが形成されたプリント配線板と、前記プリント配線板の下部に形成された第１シ−ルド層と、前記プリント配線板の上部に形成された第２シ−ルド層とからなる多層プリント配線板の製造方法において、
絶縁性基板上に金属箔を積層して前記第１シールド層を形成し、
前記第１シールド層上に、半硬化状態の絶縁性基板上に金属箔による配線パターンを形成して成る前記プリント配線板を積層し、
前記プリント配線板上に半硬化状態の絶縁性基板を積層した後、前記第１シールド層、プリント配線板及び絶縁性基板を熱プレスで一体化し、
前記プリント配線板上に積層された前記絶縁性基板上に導電ペーストを塗布して前記第２シールド層を形成する一方、
前記導電ペーストからなる第２シールド層の形成時に、前記プリント配線板及びその上に積層される絶縁性基板に前記一体化前に設けられ第１シールド層と信号層とを接続するための第１の貫通孔、及び、第２シールド層と信号層とを接続するための第２の貫通孔に前記導電ペーストを充填することにより前記信号層のうち接地パターンとなる部分および金属箔よりなる第１シールド層とを電気的に接続する
ことを特徴とする多層プリント配線板の製造方法。
【発明の詳細な説明】
【０００１】
【産業上の利用分野】
本発明は、電気機器等に使用されるプリント配線板に関し、特に、信号層が形成されたプリント配線板の上下にシ−ルド層を形成した多層構造の多層プリント配線板の製造方法に関する。
【０００２】
【従来の技術】
信号層を挟んで上下にシールド層を有する両面シ−ルド付き多層プリント配線板の従来の構造を図２に示す。
図２の多層プリント配線板は、絶縁性基板２ａ上に信号層１としての配線パタ−ンを形成してなるプリント配線板１０と、プリント配線板１０の下部に形成された導電ペ−ストからなる第１シ−ルド層３′と、プリント配線板１０の上部に絶縁性基板２ｂを介して形成された導電ペーストからなる第２シ−ルド層４′と、さらにそれぞれの外側に形成された絶縁フィルム５および６によって構成されている。
さらに、信号層１のうち接地パターンとなる部分の一部とその上下の絶縁性基板２ａおよび２ｂに、それぞれ貫通孔８ｂ、８ａおよび８ｃを形成し、第２シ−ルド層４′（または第１シ−ルド層３′）の導電ペ−スト膜形成時に、同時にこの貫通孔８ｂ、８ａおよび８ｃに導電ペ−ストを充填し、第２シ−ルド層４′と、接地パタ−ンの信号層４および第１シ−ルド層３′間とを電気的に接続するようになっている。
【０００３】
【発明が解決しようとする課題】
上記従来の構造による両面シ−ルド付き多層プリント配線板は、上下シールド層３′および４′を両面とも導電ペーストによって形成しているため、２回の導電ペ−スト着膜と、熱硬化処理が必要となり、生産の工程が増加する。熱硬化処理を１度に行うには、プリント配線板１０の両面に（信号層１側は絶縁性基板２ｂを介して）同時に導電ペーストを塗布する必要があり、困難が予想される。
また導電ペーストは、塗布が不均一になった場合あるいは塗布面の表面粗度などの影響を受けた場合にピンホールが発生する可能性があり、特に図２の構造においては、導電ペ−ストを２層設けているため信頼性に問題があった。
【０００４】
本発明は上記実情に鑑みてなされたもので、導電ペースト塗布の回数および使用量を軽減し、かつ工程を簡略化し、高信頼性を有する構造の両面シールド付きの多層プリント配線板を提供することを目的とする。
【０００５】
【課題を解決するための手段】
上記目的を達成するため本発明方法は、信号層としての配線パタ−ンが形成されたプリント配線板と、前記プリント配線板の下部に形成された第１シ−ルド層と、前記プリント配線板の上部に形成された第２シ−ルド層とからなる多層プリント配線板の製造方法において、
絶縁性基板上に金属箔を積層して前記第１シールド層を形成し、
前記第１シールド層上に、半硬化状態の絶縁性基板上に金属箔による配線パターンを形成して成る前記プリント配線板を積層し、
前記プリント配線板上に半硬化状態の絶縁性基板を積層した後、前記第１シールド層、プリント配線板及び絶縁性基板を熱プレスで一体化し、
前記プリント配線板上に積層された前記絶縁性基板上に導電ペーストを塗布して前記第２シールド層を形成する一方、
前記導電ペーストからなる第２シールド層の形成時に、前記プリント配線板及びその上に積層される絶縁性基板に前記一体化前に設けられ第１シールド層と信号層とを接続するための第１の貫通孔、及び、第２シールド層と信号層とを接続するための第２の貫通孔に前記導電ペーストを充填することにより前記信号層のうち接地パターンとなる部分および金属箔よりなる第１シールド層とを電気的に接続することを特徴としている。
【０００７】
【作用】
本発明方法で製造された多層プリント配線板によれば、第１シ−ルド層を所定のパタ−ンを有する金属箔により形成するため、導電ペ−ストにより両シ−ルド層を形成する場合と比較して、導電ペ−ストの使用量を軽減でき、かつ熱硬化処理工程が１回でよく工程を簡略化することができ、また、導電ペ−ストの塗布の不均一性や塗布面の表面粗度の影響などによるシ−ルド層の信頼性低下を軽減することができる。
【０００８】
また、第２シ−ルド層を導電ペ−ストにより形成すると同時に、プリント配線板に形成された貫通孔に導電ペ−ストを充填することにより、上下のシ−ルド層および信号層の接地パターンとの間を容易に電気的に接続することができる。
【０００９】
【実施例】
以下、本発明の多層プリント配線板について、図１を参照しながら説明する。図１は本発明の多層プリント配線板の一実施例を示す説明図であり、（ａ）は斜視説明図、（ｂ）は（ａ）のＡ−Ａ′断面説明図、（ｃ）は（ａ）のＢ−Ｂ′断面説明図である。
【００１０】
図１に示すように両面シ−ルド付き多層プリント配線板は、絶縁性基板２ａ上に信号層１としての配線パタ−ンを導電部材により形成してなるプリント配線板１０と、プリント配線板１０の下部に形成された銅箔からなる第１シ−ルド層３と、プリント配線板１０の上部に絶縁性基板２ｂを介して形成された導電ペ−ストからなる第２シ−ルド層４と、さらにそれぞれの外側に形成された絶縁フィルム５および６によって構成されている。
さらに、図１（ｂ）、（ｃ）に示すように、信号層１のうち接地パターンとなる部分については、その一部に貫通孔７ｂを形成し、その上下の絶縁性基板２ａおよび２ｂにもそれぞれ貫通孔７ａおよび７ｃを形成しておき、第２シ−ルド層４の導電ペ−スト膜形成時に、同時にこの貫通孔７ａ、７ｂおよび７ｃに導電ペ−ストを充填し、接地パタ−ンの信号層１を第１シ−ルド層３および第２シ−ルド層４と電気的に接続し、接地する。
【００１１】
次に、上記の両面シ−ルド付き多層プリント配線板の製造方法について説明する。
先ず、エポキシ樹脂およびゴム系樹脂を含有する樹脂組成物を含浸した、不飽和ポリエステルを主成分とする不織布からなる絶縁フィルム５上に銅箔を積層し、サブストラクティブ法によって回路を形成し第１シールド層３とした。ここで用いた不飽和ポリエステル不織布は、Ｂステージ状態（半硬化状態）、またはＣステージ状態という異なる状態をとることができ、Ｂステージ状態においては接着剤の効果を有し、Ｃステージ状態においてはその効果を有してない。ここでは、絶縁性フィルム５の下部に接着すべき部材がないので、Ｃステージ状態としている。
一方、絶縁フィルム５と同様の材料からなる絶縁性基板２ａ上に銅箔を積層し、絶縁性基板２ａをＢステージ状態にしてサブストラクティブ法によって回路を形成し信号層１とし、プリント配線板１０を形成する。
次に、第１シールド層３上にプリント配線板１０を積層する。
続いて、さらにその上部に、絶縁性基板２ａと同じ材料からなる絶縁性基板２ｂをＢステージ状態で積層する。
次に、これらを所定の位置に合わせて仮留めした後、１２０〜１６０゜Ｃ、２０〜５０Ｋｇ／ｃｍ２、１５〜４５分の条件で熱プレスして一体化する。
尚、信号層１のうち接地パタ−ンであるものに対して、層間接続用に一部に貫通孔７ｂを、その上下の絶縁性基板２ａおよび２ｂに貫通孔７ａおよび７ｃを、それぞれ金型による打ち抜き加工を行って形成しておく。
【００１２】
次に、熱プレス一体化した配線板の上面からスクリーン印刷により導電ペ−スト（三井金属塗料化学  ポリマー型銅ペースト）を塗布し、第２シールド層４を形成する。この時、先程形成した貫通孔７ａ、７ｂおよび７ｃ部分においても導電ペ−ストが充填されるので、接地パタ−ン部分の信号層１と、第１シ−ルド層３および第２シ−ルド層４間とは電気的に接続される。
続いて、導電ペ−ストの熱硬化処理を行った後、上部にポリイミドからなる絶縁フィルム６を熱圧着する。
この後、第１シ−ルド層３および第２シ−ルド層４を接地する（図示せず）。
【００１３】
上記工程により得られる多層プリント配線板は、図２に示す様な従来の多層プリント配線板における導電ペーストからなる第１シールド層３′と絶縁フィルム５の２層部分を、絶縁フィルム５上に銅箔からなる第１シールド層３を積層した片面銅付シートとしているので、工程上１層として扱うことができるので、層構成を簡単化することができる。
【００１４】
上記の工程において、信号層１のうち接地パタ−ンであるものに対して、その一部に貫通孔７ｂを形成し、その上部の絶縁性基板２ｂにのみ貫通孔７ｃを形成した場合は、同様に導電ペ−ストを塗布して第２シ−ルド層４を形成すると、貫通孔７ｃおよび７ｂ部分において導電ペ−ストが充填されるので、接地パタ−ン部分の信号層１を、第２シ−ルド層４とのみ接続させることができる。
【００１５】
本実施例においては、フレキシブル配線板を用いた場合を説明したが、絶縁フィルム５および絶縁性基板２ａとしてガラエポ等の硬質材料からなる硬質基板を用いた場合への適用も可能である。
【００１６】
【発明の効果】
本発明方法により製造された多層プリント配線によれば、信号層に対する第２シ−ルド層のみを導電ペーストの塗布により形成するので、導電ペースト塗布の回数および使用量を軽減することによりコストを低減し、かつ工程を簡略化し、高信頼性を有する構造の多層プリント配線板を得ることができる。
【００１７】
さらに、上記の多層プリント配線板において、第２シールド層を導電ペ−ストにより形成すると同時に、プリント配線板に形成された貫通孔に導電ペ−ストを充填することにより、上下のシ−ルド層および信号層の接地パターンとの間を容易に電気的に接続することができる。
【図面の簡単な説明】
【図１】本発明の多層プリント配線板の説明図であり、（ａ）は斜視説明図、（ｂ）は（ａ）のＡ−Ａ′断面説明図、（ｃ）は（ａ）のＢ−Ｂ′断面説明図である。
【図２】従来の多層プリント配線板の断面説明図である。
【符号の説明】
１…信号層、  ２ａ、２ｂ…絶縁性基板、  ３…第１シ−ルド層、  ４…第２シールド層、  ５，６…絶縁フィルム、  ７ａ，７ｂ，７ｃ…貫通孔、  １０…プリント配線板
【図１】
0003605883.tif 000002
【図２】
0003605883.tif 000003